(57)【要約】      （修正有）【課題】ノイズ、電磁波妨害をフィルタリングしたり、サージや静電気を防止したりして保護し、信号伝送の品質が安定し、且つ信頼できるＵＳＢ構造を提供する。【解決手段】ＵＳＢ構造は、絶縁台１の前方の舌板内に第一端子ユニット２及び第二端子ユニット３を定位し、第一端子ユニット、第二端子ユニットの基部一側には舌板と外部コネクタが電気連接する接触部、別側には絶縁台後方から外へ伸びた溶接部をそれぞれ露出して設置する。更に回路モジュール５には複数の電子部品及び回路配置したアダプター板を設置し、且つそのアダプター板の前側の電子部品上方箇所には、第一端子ユニット及び第二端子ユニットの溶接部と溶接固定する複数の接点を設置する。また接点から離れた後下側には切替端子ユニット４の連接部と溶接固定する複数の金属接点を設置し、連接部の別側の溶接部別側の溶接部は、絶縁台外部から垂直に差し出した後、回路板上で溶接する。【選択図】図１
0003163896.tif 000002
【実用新案登録請求の範囲】
【請求項１】
特に一個もしくは一個以上の電子部品を設置するUSB3.0構造で、それは絶縁台、第一端子ユニット、第二端子ユニット、切替端子ユニット及び回路モジュールを含み、そのうち、絶縁台は舌板を備え、舌板内には第一端子ユニット及び第二端子ユニットを定位し、且つ第一端子ユニット、第二端子ユニットの基部一側は舌板底面から出て、外部コネクタと電気連接する接触部を設置し、別側は絶縁台外部から伸び出る溶接部をそれぞれ設置するＵＳＢ構造において、
該絶縁台の舌板の底面には端子台を収納する納置空間を形成し、且つ舌板と端子台内部にはそれぞれ第一端子ユニット、第二端子ユニットを定位し、また回路モジュールは複数の電子部品を備えたアダプター板を設置し、そのアダプター板の前表面には第一端子ユニット及び第二端子ユニットの溶接部と溶接固定する複数の接点をそれぞれ設置し、且つ接点に遠い後方表面には表面粘着技術方式で切替端子ユニットの連接部と溶接固定する複数の金属接点を設置し、更に連接部の別側の溶接部は絶縁台の外部から垂直に出て、更に予め設置した回路板上に溶接して電気連接し、外部信号をアダプター板の電子部品によってノイズ、電磁波妨害を取り除いてフィルタリング機能を備えることを特徴とするＵＳＢ構造。
【請求項２】
前記回路モジュールのアダプター板は、表面に複数の電子部品を設置し、且つ電子部品コモンモードチョークコイル（CMC）、レジスタ、コンデンサでもよく、アダプター板の前方前側表面の電子部品上方箇所には第一端子ユニット及び第二端子ユニットの溶接部と溶接固定する複数の接点を設置し、且つ接点から遠い後方表面の電子部品に対応する下方には切替端子ユニットの連接と溶接固定する複数の金属接点を設置することを特徴とする請求項１記載のＵＳＢ構造。
【請求項３】
前記絶縁台は、基台を備え、基台前方に伸びる舌板の底板には端子台を納置する納置空間を形成し、基台底部は底台と定位し、且つ舌板の納置空間の底面は、第一端子ユニットの基部を定位する複数の納置槽が上向きに凹んで設置され、端子台の前方は納置空間内で定位する対応部が前方に伸び、その対応部の底面は、第二端子ユニットの基部を定位する複数の差込槽道が上向きに凹んで設置され、更に底台の後方側は切替端子ユニットの溶接部を差し込む複数の端子槽が垂直にせ成形され、切替端子ユニットの連接部はアダプター板の複数の金属接点と溶接固定され、また絶縁台の外部は遮蔽筐体で覆われ、遮蔽筐体の内部には外部コネクタを差し込んで合わさるための差込槽が形成されることを特徴とする請求項１記載のＵＳＢ構造。
【請求項４】
前記基台の舌板の納置空間は前方に、第一端子ユニットの基部一側の接触が出る露出エリアを設置し、定位した第二端子ユニットの基部と接触部の連接箇所は、接触面を備える第一折曲腕及び第二折曲腕が折り曲げてあり、第二折曲腕が基部方向へ半折れして差込槽道内の最上面で上向きに弾性停止する停止端が成形され、且つ溶接部と基部の連接箇所は折曲して折曲部が成形されることを特徴とする請求項３記載のＵＳＢ構造。
【請求項５】
前記切替端子ユニットは、第一切替端子ユニット及び第二切替端子ユニットを備え、第一切替端子ユニット、第二切替端子ユニットの連接部はアダプター板の金属接点と、表面粘着技術方式で溶接し、且つ第二切替端子ユニットの連接部と溶接部の連接箇所は折れて折曲部を成形することを特徴とする請求項３記載のＵＳＢ構造。
【請求項６】
特に一個もしくは一個以上の電子部品を設置するUSB3.0構造で、それは絶縁台、第一端子ユニット、第二端子ユニット、切替端子ユニット及び回路モジュールを含み、そのうち、絶縁台は舌板を備え、舌板内には第一端子ユニット及び第二端子ユニットを定位し、且つ第一端子ユニット、第二端子ユニットの基部一側は舌板底面から出て、外部コネクタと電気連接する接触部を設置し、別側は絶縁台外部から伸び出る溶接部をそれぞれ設置するＵＳＢ構造において、
該絶縁台の舌板の底面には端子台を収納する納置空間を形成し、且つ舌板と端子台内部にはそれぞれ第一端子ユニット、第二端子ユニットを定位し、また回路モジュールは複数の電子部品を備えたアダプター板を設置し、そのアダプター板の前表面には第一端子ユニット及び第二端子ユニットの溶接部と溶接固定する複数の接点をそれぞれ設置し、且つ接点に遠い後方表面には表面粘着技術方式で切替端子ユニットの連接部と溶接固定する複数の金属接点を設置し、更に連接部の別側の溶接部は絶縁台の外部から垂直に出て、更に予め設置した回路板上に溶接して電気連接し、外部信号をアダプター板の電子部品によって電圧フリーズ、瞬間異常電圧及び静電気から保護してサージ、静電気防止保護する機能を備えることを特徴とするＵＳＢ構造。
【請求項７】
前記回路モジュールのアダプター板は、表面に複数の電子部品を設置し、且つ電子部品が瞬間電圧抑制器もしくはバリスタになり、アダプター板の前表面の電子部品上方箇所にはそれぞれ電子端子ユニット及び第二端子ユニットの溶接部と溶接固定する複数の接点を設置し、且つ接点に遠い後方表面の電子部品に対応する下方には切替端子ユニットの連接部と溶接固定する複数の金属接点を設置することを特徴とする請求項６記載のＵＳＢ構造。
【請求項８】
前記絶縁台は、基台を備え、基台前方に伸びる舌板の底板には端子台を納置する納置空間を形成し、基台底部は底台と定位し、且つ舌板の納置空間の底面は、第一端子ユニットの基部を定位する複数の納置槽が上向きに凹んで設置され、端子台の前方は納置空間内で定位する対応部が前方に伸び、その対応部の底面は、第二端子ユニットの基部を定位する複数の差込槽道が上向きに凹んで設置され、更に底台の後方側は切替端子ユニットの溶接部を差し込む複数の端子槽が垂直にせ成形され、切替端子ユニットの連接部はアダプター板の複数の金属接点と溶接固定され、また絶縁台の外部は遮蔽筐体で覆われ、遮蔽筐体の内部には外部コネクタを差し込んで合わさるための差込槽が形成されることを特徴とする請求項６記載のＵＳＢ構造。
【請求項９】
前記基台の舌板の納置空間は前方に、第一端子ユニットの基部一側の接触が出る露出エリアを設置し、また端子台の二組の端子ユニットの基部と接触部の連接箇所は、接触面を備える第一折曲腕及び第二折曲腕が折り曲げてあり、第二折曲腕が基部方向へ半折れして差込槽道内の最上面で上向きに弾性停止する停止端が成形され、且つ溶接部と基部の連接箇所は折曲して折曲部が成形されることを特徴とする請求項８記載のＵＳＢ構造。
【請求項１０】
前記切替端子ユニットは、第一切替端子ユニット及び第二切替端子ユニットを備え、第一切替端子ユニット、第二切替端子ユニットの連接部はアダプター板の金属接点と、表面粘着技術方式で溶接し、且つ第二切替端子ユニットの連接部と溶接部の連接箇所は折れて折曲部を成形することを特徴とする請求項８記載のＵＳＢ構造。
【考案の詳細な説明】
【技術分野】
【０００１】
本考案は、ＵＳＢ構造に関するもので、特に絶縁台内部に複数の電子部品及び回路配置したアダプター板を設置し、アダプター板は各端子ユニットとそれぞれ電気連接するため、アダプター板上の電子部品からノイズ、電磁波妨害またはサージを取り除き、静電気を防止して使用できるので、信号伝送の品質が安定し、且つ信頼できるものとなる。
【背景技術】
【０００２】
現在、電子科学技術の発展により、パソコンの形態はデスクトップ型から体積が小さく、携帯に便利なノート型パソコンへ移行している。また、ユーザがデータを取得、信号伝送もしくはその他の周辺機器と連接する時、周辺機器のインターフェイスが必要であるが、一般市場の周辺機器インターフェイスが最も普遍的且つ一般的に使用されているのが、ユニバーサル・シリアル・バス(Universal Serial Bus)で、ホットプラグ(Hot Plug)機能を備える。
【０００３】
しかしながら、データ伝送速度及びその電源サーバの安定度から見ると、初期のUSB2.0標準（USB  Hi-Speed）の伝送速度は１２Mｂｐｓから４８０Mｂｐｓに向上しているものの、駆動電力が小さく且つ伝送速度要求が高くない周辺機器（例としてカードリーダー、プリンタ、USBドライブ、IPフォン、IPカメラ等）に適用できるだけで、外付け式高保存容量ハードディスクもしくはDVDロムリーダー、プレイヤー、更には最新のブルーレイ技術等、それらの伝送速度には明らかに不足で、駆動伝送電力不足が大きなネックになっている。そのため、業者では次世代のUSB3.0標準（USB Super-Speed）を開発し、同時に各USB3.0コネクタは最高伝送速度が4.8Gｂｐｓに達し、USB2.0コネクタにも使用できるだけでなく（USB2.0コネクタに基礎上一列の端子を加えたことになる）、双方向伝送サポートにより高伝送速度に向上した。更に高供給電力になり外付け式高保存容量ハードディスクを少量電力で供給でき、更に多くの周辺機器に対応できるようになった。
【０００４】
更に図９に示すのは、公知のUSB2.0コネクタ構造であり、それは絶縁台Ａ及び端子ユニットＢを含む。また絶縁台Ａ内部の複数の納置槽Ａ１には端子ユニットＢを差し込んで定位し、且つ端子ユニットＢ一側の入力ポートＢ１は絶縁台Ａ外側から出て予め設置した回路板と溶接固定し、別側の出力ポートＢ２は納置槽Ａ１内に位置する。更に絶縁台Ａ外部は金属筐体Ｃで覆い、それがアースもしくは電磁保護効果を備える。外部USB2.0コネクタを絶縁台Ａと金属筐体Ｃ間に形成した空間に挿し込むと、すぐに最終ポートの電子製品と電気連接する。
【先行技術文献】
【特許文献】
【０００５】
【特許文献１】特開２００５−９３２１９号公報
【考案の概要】
【考案が解決しようとする課題】
【０００６】
解決しようとする問題点は、該絶縁台Ａ内部に更に一列の端子ユニットを加えてUSB3.0コネクタにするには内部の差込空間に相当の制限が加わり、端子ユニットＢの組立は困難になり、全体構造の安定性も劣り、外部コネクタとの定位効果が安定しなくなる。他に、端子ユニットＢに増加した一列の端子ユニットの隙間が狭くなり、同時に信号伝送品質及び安定性に影響を及ぼし、またそれによってその他回路上の電子部品に干渉して高度電磁波妨害(Electromagnetic Interference)が大幅に高まり、場合によっては信号伝送の中断もしくは失効が発生する。そのため、如何にして公知のUSB2.0コネクタの欠点を改善するかは、大きな課題となっている点である。
【課題を解決するための手段】
【０００７】
本考案は、絶縁台の前方の舌板内に第一端子ユニット及び第二端子ユニットを定位し、第一端子ユニット、第二端子ユニットの基部一側には舌板と外部コネクタが電気連接する接触部、別側には絶縁台後方から外へ伸びた溶接部をそれぞれ露出して設置する。更に回路モジュールには複数の電子部品及び回路配置したアダプター板を設置し、且つそのアダプター板の前側の電子部品上方箇所には、第一端子ユニット及び第二端子ユニットの溶接部と溶接固定する複数の接点を設置する。また接点から離れた後下側には切替端子ユニットの連接部と溶接固定する複数の金属接点を設置し、連接部の別側の溶接部別側の溶接部は、絶縁台外部から垂直に差し出した後、回路板上で溶接する。外部信号はアダプター板の電子部品によってノイズ、電磁波妨害をフィルタリングしたり、サージや静電気を防止したりして保護されることを最も主要な特徴とする。
【考案の効果】
【０００８】
本考案のＵＳＢ構造は、外部信号をアダプター板の電子部品によってノイズ、電磁波妨害をフィルタリングしたり、サージや静電気を防止したりして保護し、信号伝送の品質が安定し、且つ信頼できるという利点がある。
【図面の簡単な説明】
【０００９】
【図１】本考案の立体分解図である。
【図２】本考案の別角度から見た立体分解図である。
【図３】本考案の組立時の立体分解図一である。
【図４】本考案の組立時の立体分解図二である。
【図５】本考案の組立後の立体外観図である。
【図６】本考案の組立後の側面断面図である。
【図７】本考案の実施例の回路図である。
【図８】本考案の別の実施例の立体外観図である。
【図９】公知の立体分解図である。
【考案を実施するための形態】
【００１０】
考案者は、上述の問題及び欠点を鑑み、多方面から評価を通して関連資料を収集し、当業界で長年研鑽してきた経験を元にこの種のUSB構造を提案した。
【００１１】
絶縁台に基台を備え、基台前方に伸びる舌板の底面に端子台を収納する納置空間を形成する。更に基台の底部に底台を定位して結合し、絶縁台の外部には遮蔽筐体で覆いアース効果を備える。これらは分離組立設計で、基台及び端子台内にはそれぞれ定位した第一端子ユニット、第二端子ユニット間は、良好な遮蔽及び隔離効果を形成し、掛合方式によって組み立てるので更に便利であり、構造が安定し、何度でも着脱できる定位効果を備えることを本考案の主な目的とする。
【００１２】
回路モジュールに複数の電子部品及び回路配置を備えたアダプター板を設置し、外部信号を絶縁台の舌板内に定位した第一端子ユニット、第二端子ユニットからアダプター板の前側上方箇所の複数の接点へ伝送し、電子部品で不必要なノイズ、電磁波妨害をフィルタリングしたり、サージと静電気を防止したりすることで、アダプター板の後下方箇所の複数の金属接点、切替端子ユニットから予め設置した回路板へ出力して信号を切り替え、信号伝送の品質を更に安定、信頼できるものにして信号伝送が中断したり、失効したりするのを防止することを本考案の次の目的とする。
【実施例】
【００１３】
上述の目的と構造を達成するため、本考案で採用する技術手段及びその効果を、図式と共に本考案の良好な実施例を挙げてそのステップと機能を以下に説明する。
【００１４】
図１、２、３に示すのは、本考案立体分解図、別角度から見た立体分解図及び組立時の立体分解図一である。図に示すとおり、本考案は絶縁台１、第一端子ユニット２、第二端子ユニット３、切替端子ユニット４、回路モジュール５及び遮蔽筐体６を含む。そのうち、
【００１５】
該絶縁台１は、基台１１を備え、基台１１底部には複数のフック１１１を設置し、基台前方には外部コネクタと電気連接する舌板１２が伸び、且つ舌板１２底面は端子台１３を納置する納置空間１２０を形成する。この他、舌板１２の納置空間１２０前方箇所には露出エリア１２１を設置する。露出エリア１２１後方底面には上向きに複数の納置槽１２２を設置する。また納置空間１２０両側壁面にはそれぞれ支持部１２３を設置する。更に端子台１３前方には舌板１２の納置空間１２０で定位する対応部１３１が伸び、更に対応部１３１底面は上向きに複数の差込槽道１３２を設置する。対応部１３１両側辺にはそれぞれ掛合部１３３を設置し、また端子台１３底部には複数の凸柱１３４を設置する。他に基台１１底部は底台１４と結合して定位し、底台１４にはフック１１１と掛合定位するための複数の掛合槽１４１が設置され、また端子台１３の凸柱１３４と合わさる複数の接合孔１４２も成形される。更に各接合孔１４２両側箇所にはそれぞれ支持凸塊１４３が設置され、底台１４後側には間隔を開けて配列した複数の端子槽１４４が垂直に並び、端子槽１４４の外側に相対する側辺には階段状の停止部１４５が設置される。
【００１６】
該第一端子ユニット２は基部２１を備え、且つ基部２１一側には絶縁台１の露出エリア１２１の複数の凹槽１２１１から露出する接触部２２と、別側には外向きに基台１１後方から伸びる溶接部２３を設置する。
【００１７】
該第二端子ユニット３は、基部３１を備え、且つ基部３１一側には絶縁台１の差込槽道１３２底側から伸びる接触部３２、別側は外向きに端子台１３後方へ伸びる溶接部３３を設置する。更に基部３１と接触部３２の連接箇所は、接触面３２１１を備えた第一折曲腕３２１及び第二折曲腕３２２が順に折り曲げて伸び、更に第二折曲腕３２２は基部３１方向に向かって反対方向に折れる停止端３２２１があり、また溶接部３３と基部３１の連接箇所は折曲部３３１を折り曲げる。
【００１８】
該切替端子ユニット４は、第一切替端子ユニット４１及び第二切替端子ユニット４２を備える。そのうち、第一切替端子ユニット４１一側には連接部４１１を設置し、連接部４１１の別側には底台１４の端子槽１４４と予め設置した回路板から出て溶接する溶接部４１２を設置する。また第二切替端子ユニット４２一側には連接部４２１を設置し、且つ連接部４２１の別側には底台１４の端子槽１４４外部と予め設置した回路板から出て溶接する溶接部４２２を設置し、且つ連接部４２１と溶接部４２２の連接箇所は折曲部４２３が伸びる。
【００１９】
該回路モジュール５は、複数の電子部品５１１（例としてレジスター、コンデンサ、コモンモードチョークコイル等）及び回路を備えたアダプター板５１を設置する。アダプター板５１前側表面の電子部品５１１の上方箇所にはそれぞれ第一端子ユニット２及び第二端子ユニット３の溶接部２３、３３と溶接する複数の接点５１２を設置し、接点５１２から離れた後ろ側表面の電子部品５１１に対応する下方箇所にはそれぞれ切替端子ユニット４の連接部４１１４２１と溶接する複数の金属接点５１３を設置する。
【００２０】
該遮蔽筐体６は絶縁台１外部を覆い、遮蔽筐体６内部には外部コネクタを差し込む差込槽６１が形成される。
【００２１】
図３、４、５、６に示すのは、本考案の組立時の立体分解図一、組立時の立体分解図二、組立後の立体外観図及び組立後の側面断面図である。図に示すとおり、上述の部品を組み立てる時、先ず、第一端子ユニット２を基台１１の舌板１２底面の複数の納置槽１２２内に結合定位し、且つ該基台１１と第一端子ユニット２の結合方式は、プラスチック射出一体成型(Insert Molding)、または第一端子ユニット２を舌板１２の納置槽１２２内に定位する組立方式である。基部２１、溶接部２３両側辺の複数の突起２１１、２３１は納置槽１２２側壁の嵌合槽１２２１内にそれぞれ嵌合して定位する。同時に基部２１一側の接触部２２は露出エリア１２１の複数の凹槽１２１１から出し、別側の溶接部２３は基台１１後方から出す。その後、第二端子ユニット３を端子台１３の対応部１３１底面の複数の差込槽道１３２内に定位し、その基部３１両側辺の複数の突起３１１は差込槽道１３２側壁面の嵌合槽１３２１にそれぞれ嵌合して定位する。更に基部３１一側の接触部３２は差込槽道１３２底側から露出し、別側の溶接部３３は端子台１３後方から出る。切替端子ユニット４の第一切替端子ユニット４１及び第二切替端子ユニット４２の溶接部４１２、４２１は底台１４の複数の端子槽１４４から垂直に差し込み、溶接部４１２、４２２両側の複数の突起４１２１、４２２１はそれぞれ端子槽１４４側壁上で咬み合って定位する。
【００２２】
更に端子台１３前方へ伸びた対応部１３１は舌板１２内部の納置空間１２０に納置し、その対応部１３１両側辺の掛合部１３３を納置空間１２０側壁の支持部１２３内で下から上に向けて結合定位し、基台１１の対応部と端子台１３の対応部１３１はユーザの求め、もしくは設計の違いによって対応掛合する部分を凹凸部もしくは鉤型式（図未提示）で嵌合し、その後、基台１１及び端子台１３にそれぞれ定位した第一端子ユニット２、第二端子ユニット３の溶接部２３、３３をアダプター板５１前側表面上方箇所の複数の接点５１２と溶接して電気連接し、更に基台１１のフックを底台１４の掛合槽１４１内に掛合した後、凸柱１３４を接合孔１４２内に嵌入し、底台１４の支持凸塊１４３でそれぞれ第二端子ユニット３の基部３１表面を押さえ、基台１１を底台１４で垂直に安定して定位させる。この時底台１４の両方の相対する停止部１４５でそれぞれアダプター板５１を押さえ、アダプター板５１が前方に移動するのを制限し、端子ユニットはアダプター板５１に押されて変形するのを防止する。また第一切替端子ユニット４１及び第二切替端子ユニット４２の連接部４１１、４２１はアダプター板５１後方表面と電子部品５１１下方の複数の金属接点５１３に合わせ、表面粘着技術（SMT）方式で溶接した後、更に遮蔽筐体６に組み立てて結合した絶縁台１を入れて一体化し、舌板１２を差込槽６１内に入れ、外部コネクタで電気連接し、本考案のUSB3.0構造を完成する。
【００２３】
図６、７、８に示すのは、本考案の組立後の側面断面図、良好な実施例の回路図及び別の実施例の立体外観図である。図に示すように、切替端子ユニット４の溶接部４１２、４２２は底台１４の複数の端子槽１４４から垂直に出ており、予め設置した回路板に溶接して電気連接する。同時に遮蔽筐体６底側から伸びた複数の接続脚を回路版の穿孔に差して溶接して固定し、アースとして利用する。使用する時は先ず、外部のコネクタを遮蔽筐体６に沿って差込槽６１内に差し入れ、安定した接続状態を形成する。同時に、舌板１２を外部コネクタ内部の差込空間に納置して上列端子ユニット、下列端子ユニット（図未提示）で、舌板１２対応部１３１内に定位した第一端子ユニット２及び第二端子ユニット３と良好な電気連接を形成すると、外部のコネクタを通じてメインパソコンに連接して内部データ信号を双方向で伝送、編集もしくは通信する。更に外部信号を第一端子ユニット２、第二端子ユニット３からアダプター板５１前側表面の複数の接点５１２に伝送すると、下方の電子部品５１１を利用して不必要なノイズ、電磁妨害（EMI）を取り除き、実際有用な信号を残す。即ち、アダプター板５１後方表面の電子部品５１１に対応する下方の金属接点５１３、切替端子ユニット４から、予め設置した回路板上のマイクロプロセッサ、制御チップもしくはICへ出力して信号を転換し、直列データ方式で出力する。このようにしてアダプター板５１の電子部品５１１が不必要なノイズや電磁妨害を取り除き、良好なフィルタリング機能を備え、更に信号伝送の寝室を更に安定且つ信頼性のあるものして、信号伝送中に中断したり、失効したりするのを防止する。
【００２４】
他に、外部のコネクタの下列の端子ユニットが第二端子ユニット３一側の接触部３２を押した時、その接触部３２底側の接触面３２１１は圧力を受けて停止端３２２１を上方向に差込槽道１３２内の上面で押さえる。同時に第一折曲腕３２１及び第二折曲腕３２２が弾性変形し、接触部３２が受ける力が分散されるため、応力が集中したことによる使用後の変形や位置ずれが起こりにくく、第二端子ユニット３全体の使用寿命を延ばす。
【００２５】
更に、本考案の回路モジュール５のアダプター板５１表面には複数の電子部品５１１を設置し、該電子部品５１１はコモンモードチョークコイル(Common Mode Choke,CMC)、レジスタもしくはコンデンサ等フィルター機能を備えた電子部品とする。但し、本考案を実際に使用する場合には制限はなく、過渡電圧サプレッサ (Transient Voltage Suppressor ,TVS) もしくはバリスタ(Varistor)等サージ、静電気防止保護機能を備えた電子部品でもよく、信号のノイズ、電磁波妨害を除去したり、暫定電圧、瞬間異常電圧と静電気からの保護に用いたりすることもできる。ここでは電子部品５１１はコモンモードチョークコイルを実施例として説明しているだけであるが、ユーザの要求や規格デザインによって入れ替えたり使用数を増減させたりすることができ、アダプター板５１の信号入力ポート、信号出力ポートと電気連接してフィルタリングを備え、サージ、静電気を防止保護する信号回路を形成する。
【００２６】
上述の本考案のアダプター板５１の信号入力ポート、信号出力ポートの間には複数の電子部品５１１を連接し、アダプター板５１の全体回路の配置は九個の信号入力ポート（U1〜U９）を備え、九個の信号入力ポートは複数の金属接点５１３を通して切替端子ユニット４に電気連接する。他にそのアダプター板５１の全体回路にも、信号の伝送及び受信用の九個の信号出力ポートを備える。そのうち、二個の信号出力ポート（U２、U３）は複数の接点５１２を通して、第一端子ユニット２の二個のUSB2.0端子溶接部２３と電気連接し、四個の信号出力ポート（U5、U６、U８、U９）は第二端子ユニット３の四個のUSB3.0端子溶接部３３に複数の接点５１２を通して電気連接する。更に電子部品５１１はコモンモードチョークコイルでもよく、一対の信号端子でフィルタリング作用を提供する。そのため、少なくとも三個の電子部品５１１があってフィルター機能を備えた信号回路を達成できるが、空間の制限や製品のコストを考慮すると、実際に使用する場合、三個のフィルター電子部品５１１を置き換えてサージ、静電気防止保護機能を備えた電子部品５１１として使用できる。外部信号の提供には第一端子ユニット２、第二端子ユニット３をアダプター板５１の電子部品５１１に伝送するだけでよく、電子部品５１１が不必要なノイズ、電磁波妨害、もしくは一時停止、瞬間異常電圧及び静電気を取り除いて保護し、良好なフィルタリングもしくはサージ、静電気防止保護ができ、更には信号伝送中の中断もしくは失効を防止する。以上は、本考案の良好な実施例に過ぎず、本考案の特許範囲を制限するものではなく、拠って本考案の説明書及び図式内容に基づく簡単な修飾及び同じ効果の構造変化は、すべて本考案の請求範囲に含まれるものとする。
【００２７】
上述のとおり、本考案のUSB構造はその効果及び目的が確実に達成でき、本考案は実用性を備えた優れた考案であり、実用新案登録の申請要件に符合するため、申請する。
【符号の説明】
【００２８】
１        絶縁台
１１        基台
１１１        フック
１２        舌板
１２０        納置空間
１２１        露出エリア
１２２        納置槽
１２１１        凹槽
１２２１        嵌合槽
１２３        支持部
１３        端子台
１３１        対応部
１３２        差込槽道
１３２１        嵌合槽
１３３        掛合部
１３４        凸柱
１４        底台
１４１        掛合槽
１４２        接合孔
１４３        支持凸塊
１４４        端子槽
１４５        停止部
２        第一端子ユニット
２１        基部
２１１        突起
２２        接触部
２３        溶接部
２３１        突起
３        第二端子ユニット
３１        基部
３１１        突起
３２        接触部
３２１        第一
３２１１        接触面
３２２        第二
３２２１        停止端
３３１        折曲部
３３        溶接部
４        切替端子ユニット
４１        第一切替端子ユニット
４１１        連接部
４１２        溶接部
４１２１        突起
４２        第二切替端子ユニット
４２１        連接部
４２２        溶接部
４２２１        突起
４２３        折曲部
５        回路モジュール
５１        アダプター板
５１１        電子部品
５１２        接点
５１３        金属接点
６        遮蔽筐体
６１        差込槽
Ａ        絶縁台
Ａ１      納置槽
Ｂ        端子ユニット
Ｂ１      入力ポート
Ｂ２      出力ポート
Ｃ        金属筺体
【図１】
0003163896.tif 000003
【図２】
0003163896.tif 000004
【図３】
0003163896.tif 000005
【図４】
0003163896.tif 000006
【図５】
0003163896.tif 000007
【図６】
0003163896.tif 000008
【図７】
0003163896.tif 000009
【図８】
0003163896.tif 000010
【図９】
0003163896.tif 000011